(57)【要約】  マルチブレードのカミソリが提供される。カミソリは、異なる先端半径を有し、したがって異なる相対的な鋭さを有するブレード（１１、１２、１３）を含む。
2009530012.tif 000002
【特許請求の範囲】
【請求項１】
ガード、キャップ、並びに前記ガードとキャップとの間に配置された平行な鋭利な刃先を含む第一、第二、及び第三のブレードを有する安全カミソリブレードユニットを備え、前記各ブレードは、第一、第二、及び第三の先端半径をそれぞれ有し、前記３枚のブレードの少なくとも２枚は、異なる先端半径を有し、前記第一のブレードは、前記ガードの最も近くにあり、前記第二及び第三のブレードの少なくとも１枚の前記先端半径よりも大きい先端半径を有することを特徴とする、カミソリ。
【請求項２】
ガード、キャップ、並びに前記ガードとキャップとの間に配置された平行な鋭利な刃先を含む第一、第二、及び第三のブレードを有する安全カミソリブレードユニットを備え、前記第一のブレードが前記キャップの最も近くにあり、前記第三のブレードは、前記キャップから最も遠くにあり、前記第二のブレードは、前記第一と第三のブレードとの間に配置され、前記各ブレードは、第一、第二、及び第三の先端半径をそれぞれ有し、前記３枚のブレードの少なくとも２枚は、異なる先端半径を有し、前記第二のブレード及び第三のブレードはそれぞれ、前記第一のブレードの前記先端半径よりも大きい先端半径を有することを特徴とする、カミソリ。
【請求項３】
ガード、キャップ、並びに前記ガードとキャップとの間に配置された平行な鋭利な刃先を含む第一、第二、及び第三のブレードを有する安全カミソリブレードユニットを備え、前記第一のブレードが前記キャップの最も近くにあり、前記第三のブレードは、前記キャップから最も遠くにあり、前記第二のブレードは、前記第一と第三のブレードとの間に配置され、前記各ブレードは、第一、第二、及び第三の先端半径をそれぞれ有し、前記３枚のブレードの少なくとも２枚は、異なる先端半径を有し、前記第二のブレードは、前記第一及び第三のブレードのそれぞれの前記先端半径よりも大きい先端半径を有することを特徴とする、カミソリ。
【請求項４】
前記第一のブレードは、約２３５〜２９５の先端半径を有する、請求項１に記載のカミソリ。
【請求項５】
前記第二のブレードは、約３５０〜４５０の先端半径を有する、請求項４に記載のカミソリ。
【請求項６】
前記第二のブレードは、前記第三のブレードの先端半径より大きい先端半径を有する、請求項１に記載のカミソリ。
【請求項７】
前記第三のブレードは、前記第二のブレードの先端半径より大きい先端半径を有する、請求項１に記載のカミソリ。
【請求項８】
前記第一のブレードは、前記第二又は第三のブレードの先端半径より大きい先端半径を有する、請求項６又は７に記載のカミソリ。
【請求項９】
前記第二及び第三のブレードは、ほぼ等しい先端半径を有する、請求項１に記載のカミソリ。
【請求項１０】
前記第一及び第三のブレードは、ほぼ等しい先端半径を有する、請求項１に記載のカミソリ。
【請求項１１】
前記第二のブレードの前記先端半径は、前記第三のブレードの前記先端半径より大きい、請求項２に記載のカミソリ。
【請求項１２】
前記各ブレードは、異なるブレードの露出を有する、請求項１、２、又は３に記載のカミソリ。
【請求項１３】
第一の曲率半径を有する先端を提供するように第一のブレードを処理する工程と、
第二の曲率半径を有する先端を提供するように第二のブレードを処理する工程と、
第三の曲率半径を有する先端を提供するように第三のブレードを処理する工程と、を備え、
前記各曲率半径の少なくとも２つが異なり、
前記第一、第二、及び第三のブレードを、ガード及びキャップを含むカートリッジ内に組み立てる工程を更に備え、前記各ブレードが、平行な刃先を有するように位置決めされるとともに異なるブレードの露出を有することを特徴とする、カミソリを作製する方法。
【発明の詳細な説明】
【技術分野】
【０００１】
本発明は、カミソリ、より具体的には、マルチブレードのカミソリ、及びそのようなカミソリ用のブレードユニットに関する。
【背景技術】
【０００２】
シェービングにおいては、良好なシェービングの快適さを提供し切り傷を防ぐ一方で、綿密なシェービングを達成することも望ましい。シェービング性能に影響する要因としては、ブレードの刃先と皮膚の間の摩擦抵抗及びブレードの刃先の鋭さが挙げられ、その両方が、ブレードにより毛に付加されるカッター抵抗（cutter forces）に影響する。シェービング性能及びブレードの磨耗に影響する他の要因は、ブレードの露出、すなわち、以下で説明されるような、カミソリの近接する皮膚への２つの接触点間で画定される平面を越えてブレード先端が延びる程度である。ブレードは、中立の露出（ブレード先端は平面内）で、正の露出（ブレード先端が平面を越えて延びている）で、又は負の露出（ブレード先端が平面より後ろに引っ込んでいる）で、位置されることができる。負の露出が可能であるのは、皮膚が変形性であるので、平面の後ろの区域に「流れ込む（flows）」からである。より正の露出は、より綿密なシェービングを付与する傾向があるが、切り傷のより大きな危険性も示すかもしれない。多数のマルチブレードカミソリにおいては、異なるブレードが、異なる露出で配置される。結果として、ブレードは異なって皮膚に接触し、異なる速度で磨耗する傾向がある。
【発明の開示】
【課題を解決するための手段】
【０００３】
本発明は、異なるブレードが異なる先端半径を有し、したがって異なる相対的な鋭さを有する、マルチブレードカミソリを特徴とする。異なるブレードの先端半径は、カミソリに所望の性能特性をもたらすように選定されることができる。幾つかの実施態様においては、ブレードは、異なる露出で位置決めされる。
【０００４】
先端半径は、刃先の最も先端（ultimate tip）を走査型電子顕微鏡下で５０，０００倍の倍率で見る時、最も先端内に位置付けられる可能性がある最大円の半径を推定することによって測定されてもよい。ブレードは、ブレードの平面内で、入射する電子ビーム源から３０度傾けられた刃先である。
【０００５】
好ましいカミソリは、切り傷を作りやすいユーザーの場合でさえも最小限の切り傷で、シェービングの綿密さと快適さとの良好なバランスを呈する。
【０００６】
幾つかの態様において、本発明は、ガード、キャップ、並びにガードとキャップとの間に配置された平行な鋭利な刃先を含む第一、第二、及び第三のブレードを有する安全カミソリブレードユニットを備えるカミソリを特徴とする。
【０００７】
第一の態様において、各ブレードは、第一、第二、及び第三の先端半径をそれぞれ有し、３枚のブレードの少なくとも２枚は、異なる先端半径を有し、並びに第一のブレードは、ガードの最も近くにあり、第二及び第三のブレードの少なくとも１枚の先端半径より大きい先端半径を有する。
【０００８】
第二の態様において、第一のブレードは、キャップの最も近くにあり、第三のブレードが、キャップから最も遠くにあり、及び第二のブレードが、第一と第三のブレードとの間に配置され、各ブレードは、第一、第二、及び第三の先端半径をそれぞれ有し、３枚のブレードの少なくとも２枚は、異なる先端半径を有し、並びに第二のブレード及び第三のブレードはそれぞれ、第一のブレードの先端半径よりも大きい先端半径を有する。
【０００９】
第三の態様において、再び、第一のブレードはキャップの最も近くにあり、第三のブレードがキャップから最も遠くにあり、第二のブレードが、第一と第三のブレードとの間に配置され、各ブレードは、第一、第二、及び第三の先端半径をそれぞれ有し、並びに３枚のブレードの少なくとも２枚は、異なる先端半径を有するが、この場合、第二のブレードが、第一及び第三のブレードのそれぞれの先端半径よりも大きい先端半径を有する。
【００１０】
幾つかの実施態様は、次の特徴の一つ以上を包む。上で説明された第一の態様において、第二のブレードは、第三のブレードの先端半径より大きい、等しい、又はより小さい先端半径を有してもよく、及び第一のブレードは、第二又は第三のブレードの先端半径より大きい先端半径を有してもよい。ある場合において、第一及び第三のブレードは、ほぼ等しい先端半径を有してもよい。
【００１１】
カミソリは、平行な鋭利な刃先を備える４枚のブレードを含んでもよい。第三及び第四のブレードが、ガードから第三及び第四の位置にそれぞれ配置される場合、第四のブレードは、第三のブレードより大きい先端半径を有してもよい。ある場合には、第三のブレードの先端半径は、第一のブレードの先端半径にほぼ等しくてもよく、第二のブレードの先端半径は、第四のブレードの先端半径にほぼ等しくてもよい。第二のブレードの先端半径は、第三のブレードの先端半径より大きくてもよい。カミソリは、５枚以上のブレードを含んでもよい。
【００１２】
本発明はまた、本明細書に記載される特性を有するブレードユニットを特徴とする。
【００１３】
他の態様において、本発明は、カミソリを作製する方法を特徴とする。例えば、一つの態様において、本発明は、第一の曲率半径を有する先端を提供するように第一のブレードを処理する工程、第二の曲率半径を有する先端を提供するように第二のブレードを処理する工程、第三の曲率半径を有する先端を提供するように第三のブレードを処理する工程を備え、各曲率半径の少なくとも２つが異なり、第一、第二、及び第三のブレードをガード及びキャップを含むカートリッジ内に組み立てる工程を更に備え、各ブレードが、平行な刃先を有するように位置決めされるとともに異なるブレードの露出を有することを特徴とする、カミソリを作製する方法である。
【００１４】
他の態様において、本発明は、本明細書に記載されるカミソリを使用するシェービングの方法を特徴とする。
【００１５】
本発明の一つ以上の実施形態の詳細が、添付図面及び以下の記述において説明される。本発明の他の特徴及び利点は、記述及び図面、並びに請求項から明らかであろう。
【発明を実施するための最良の形態】
【００１６】
様々な実施態様において、カミソリの異なるブレードは、異なる先端半径を有し、したがって異なる相対的な鋭さを有する。ブレードの鋭さは、鋭さと相関するカッター抵抗の測定によって定量化されてもよい。カッター抵抗は、羊毛フェルトカッターテストにより測定されるものであり、これは羊毛フェルトを切り開くために各ブレードが必要とする力を測定することによってブレードのカッター抵抗を測定する。各ブレードのカッター抵抗は、羊毛フェルトを切り開くために各ブレードが必要とする力を測定することによって決定される。各ブレードは、羊毛フェルトカッターを通して５回テストされ、各切断力がレコーダーに測定される。５切断の最低値が、カッター抵抗として画定される。
【００１７】
所望の性能特性を有するカミソリを提供するように、より鋭いブレードとより鈍いブレードの組合せ及び位置決めを選定することができる。一般に、比較的より鋭いブレードは、毛を切断し、比較的より鈍いブレードは、次に続くブレードによって毛が皮膚により近くで切断されることができるようにするために、毛を引っ張り上げる傾向がある。しかしながら、特定のブレードが機能するやり方は、その露出に加えてその鋭さに依存する。
【００１８】
図１を参照して、カミソリカートリッジのブレードユニットは、ガード２、及びキャップ３を画定するフレーム１を包む。図示されるように、キャップは、フレーム上に取り付けられた潤滑性ストリップ４を含む。ストリップは、当技術分野において周知の形体であってもよい。フレームにより担持されているのは、平行な鋭利な刃先を有する一次、二次、及び三次ブレード１１、１２、１３である。ブレードは、フレームによりしっかりと支えられ、それらが叙述された位置に実質的に固定されたままであってもよい（シェービング中にブレードに対して付加される力によりブレードが被るいずれかの弾力的変形を受ける）。あるいは、ブレードは、例えば図に見られるような下向き方向のばね回復力に対して、限られた動きに対して支持されてもよい。
【００１９】
図１のブレードユニットにおいて、３枚のブレードの全ての刃先が、共通平面Ｐ内に位置する。ブレードの露出は、その刃先の前隣及び後ろ隣のブレードユニット要素の皮膚接触面に対する接線平面に関して測定されるブレード刃先の垂直距離又は高さであると画定される。したがって、図１に示される３枚ブレードのブレードユニットの場合、第一の又は一次ブレードの露出は、ガード及び第二ブレードの刃先に対する接線平面に関して測定され、第三の又は三次ブレードの露出は、第二ブレードの刃先及びキャップに対する接線平面に関して測定される。ブレードの露出は、先端が平面内にある場合、中立であってもよく、先端が平面を越えてユーザーに向かって延びている場合、正であってもよく、又は先端が平面より後ろにユーザーから遠くに引っ込んでいる場合、負であってもよい。一般に、露出が大きくなるほど、より綿密にブレードがヒゲを剃る傾向があるが、ブレードがユーザーを傷付ける又は切り込むという可能性もより高くなる。負の露出のブレードであっても、皮膚の変形可能な性質のために、ひいては皮膚が膨らんで窪み区域に及びブレードに向かって流れ込むという傾向のために、毛を切断する。
【００２０】
図１に示される実施形態では、３枚のブレードの全ての刃先が平面Ｐ内にあって、一次ブレード１１は負の露出（例えば、−０．０４ｍｍ）を有し、二次ブレード１２の露出はゼロであり、及び三次ブレード１３の露出は正（例えば、＋０．０６ｍｍ）である。したがって、先導ブレード１１から後続ブレード１３まで、ブレードの露出において漸進的な増加がある。漸進的に異なる露出のブレードを有するカミソリカートリッジが、米国特許第６，２１２，７７７号に記載されており、その開示全体は参考として本明細書に組み込まれる。
【００２１】
一つの実施形態において、負の露出を有する一次ブレード１１が、より小さい先端半径を有し、したがってより鋭く、また二次ブレード１２よりも低いカッター抵抗を呈する。好ましくは、三次ブレード１３が、二次ブレードよりも小さい先端半径、例えば、一次ブレードの先端半径にほぼ等しいか、又は一次及び二次ブレードの先端半径の間の先端半径にほぼ等しい先端半径を有する。この場合において、一次ブレードは、毛を切断する傾向があり、三次ブレードは、二次ブレードによって引っ張られた毛を切断する。比較的鈍い二次ブレードの包含は、シェービングの綿密さを損なわずに、切り傷の発生を減少させる傾向がある。一次ブレードは、その負の露出のために切り傷の著しい危険性がなく、極めて鋭くてもよい。
【００２２】
幾つかの代替実施形態において、最も高いレベルの露出を有する三次ブレードが、二次ブレードのものに等しいか又はより大きい先端半径を有してもよい。この選択は、切り傷を負いやすいユーザーに対して有利である。
【００２３】
場合によっては、一次ブレードは、３００オングストローム未満、例えば約２３５〜約２９５オングストロームの先端半径を有して、約５．１Ｎ（１．１５ポンド）未満、好ましくは約４．７Ｎ（１．０５ポンド）未満のカッター抵抗をもたらす。これは、本明細書において、比較的鋭いブレードということになる。一次ブレードが二次ブレードよりも鋭いことを所望される場合、一次ブレードの先端半径は、二次ブレードのカッター抵抗よりも少なくとも約０．４４Ｎ（０．１ポンド）低い、好ましくは少なくとも約１．８Ｎ（０．４ポンド）低いカッター抵抗を提供するように選定されてもよい。一般に、二次ブレードの先端半径は、極めて鈍い二次ブレードが所望される場合、約６００〜約１０００オングストロームであってもよく、又は二次ブレードが一次ブレードよりもわずかに鋭さが落ちることだけを所望される場合、約３５０〜約４５０オングストロームであってもよい。６００〜１０００オングストロームの先端半径は、一般に、約７．８〜８．９Ｎ（１．７５〜２．０ポンド）のカッター抵抗を作り出し、一方３５０〜４５０オングストロームの先端半径は、一般に、約５．８〜７．１Ｎ（１．３〜１．６ポンド）のカッター抵抗を作り出す。三次ブレードは、三次ブレードが他のブレードよりも比較的鋭い又は鈍いことのどちらが望ましいかに応じて、約２３５〜１０００オングストロームの先端半径を有してもよい。
【００２４】
他の実施形態において、二次ブレードよりも鋭さが落ちる一次ブレードを有するのが望ましいことがある。一次ブレードが二次ブレードよりも鋭さが落ちる場合、一次ブレードは、普通に鋭いブレードよりも切断中に毛嚢から毛を更に引き出す傾向があり、その結果、切断の後では、普通に鋭いブレードでよりも毛が毛嚢から更に出ていてシャフトの更に下部で二次ブレードにより切断されることになるので、毛が毛嚢に引っ込む時、その端部は皮膚面下にある。例えば、一次ブレードが約３５０〜約４５０オングストロームの先端半径を有してもよく、一方、二次ブレードが、約２３５〜約２９５オングストロームの先端半径を有する。これらの実施態様において、三次ブレードは、二次ブレードと同一の鋭さを有していてもよく、二次ブレードよりもより鋭い若しくはより鈍くてもよく、又は一次ブレードに等しい鈍さ若しくはより鈍くさえあってもよい。比較的鈍い三次ブレードを有すると、切り傷又は切り込みの危険性が少ない非常に安全なシェービングをもたらす傾向があり、一方、比較的鋭い三次ブレードを有すると、非常に綿密なシェービングを提供する。
【００２５】
先端半径Ｒは、ブレード先端に適用されるコーティングの特性を制御することによって、例えばスパッタリング条件の調節によって、変化されてもよい。スパッタ堆積の前及び／又はその間に、ブレードにかけられるバイアスは、エッチング速度を生じるように変化させることができる。一般に、高いバイアス電圧（例えば、直流電流−１０００Ｖ（ｖｄｃ）超過）で加工されたブレードは、より小さい先端半径をもたらし、したがって低いバイアス電圧（例えば、−２００ｖｄｃ未満）で加工されたブレードよりも低いカッター抵抗をもたらす。また、イオン対原子の比を変化させて、付着及びエッチング速度を制御することができる。あるいは、ブレードは、スパッタリングの後でイオンエッチングして、先端半径を減少してもよい。この場合において、スパッタリング条件は、大きな先端半径をもたらすように制御され、次に先端半径が、イオンエッチングの使用で所望のレベルに減少される。好適なプロセスは、米国特許第４，９３３，０５８号に記載されており、その開示は参考として本明細書に組み込まれる。別の代替案は、鋭利化中に所望の先端半径を得るように鋭利化プロセスを制御することによって先端半径を変化させることである。
【００２６】
所望される場合、カミソリは、４枚、５枚、又はそれ以上のブレードを含むことができる。そのブレードが、様々な組合せの鋭さを有してもよい。例えば、４枚のブレードを有するカミソリでは、より高いカッター抵抗の２枚のブレードが、より低いカッター抵抗を有する２枚のブレードと交互に配置されてもよい。より高いカッター抵抗のブレードは、一次及び三次ブレードであってもよく、又は代替実施形態においては、二次及び四次ブレードであってもよい。これら及び他の実施形態において、より高いカッター抵抗を有するブレードは、ある場合には、約３５０〜約４５０オングストロームの先端半径を有し、一方、より低いカッター抵抗を有するブレードは、約２３５〜約２９５オングストロームの先端半径を有する。様々なブレードの鋭さの所望の程度を決定するに際しては、上で説明された原則が適用され、すなわち、より鈍いブレードは、一般に、より大きな安全性を提供し、また毛に張力を付加し、毛を毛嚢から引き出して、続くブレードがより綿密に切断することを可能にし、一方、より鋭いブレードは、より綿密に及びより少ないカッター抵抗で毛を切断する。一般に、より鈍いブレードをより露出した位置に設けることによって、切り傷の発生が低減され、一方、より鋭いブレードをこれらの位置に設けると、より綿密でより快適なシェービングを提供する。ある種の女性用カミソリの場合、使用されるブレードの枚数に関係なく、一次位置に鋭いブレードを設けるのが一般に望ましいことも、発明者らは留意している。異なる鋭さのブレードの所望の組合せは、カミソリの所望の性能属性に基づいて決定することができる。
【００２７】
本発明の多数の実施形態を説明してきた。それにもかかわらず、本発明の趣旨及び範囲から逸脱することなく、様々な変更を行ってもよいことは理解されるであろう。
【００２８】
例えば、幾つかの実施態様において、カミソリは２枚のブレードだけを含んでもよい。この場合において、一次ブレードが、二次ブレードよりも鈍いことが有利である。この配置は、一次ブレードが毛に張力を付加しこれを持ち上げ、二次ブレードがより綿密に切断することを可能にする。
【００２９】
したがって、他の実施形態は、特許請求の範囲内である。
【００３０】
様々な図面における類似の参照記号は、類似要素を示す。
【図面の簡単な説明】
【００３１】
【図１】ブレードユニットの断面図。
【図１】
2009530012.tif 000003
【国際調査報告】
2009530012.tif 000004
2009530012.tif 000005
2009530012.tif 000006
2009530012.tif 000007